(57)【特許請求の範囲】
【請求項１】
コンピュータ装置を利用して、ブラインドの購入希望者によって操作される購入者側入力手段から入力された情報を受信すると共に、購入希望者によって閲覧可能となった購入者側表示手段に表示するべき情報を送信可能となったブラインド推奨システムであって、
製造可能なブラインドに付することが可能なブラインドカラーの該ブラインドカラー番号と該ブラインドカラー番号に対応する色の基準表色系における基準座標値とが対応づけられて格納されたカラーデータベースと、
カラーパレットのカラー番号と該カラー番号に対応する色の基準表色系における基準座標値とが対応づけられて格納されたカラーパレットデータベースと、
製造可能なブラインドの機種とその適応可能なブラインドカラーのブラインドカラー番号とが対応づけられて格納されたブラインド機種データベースと、
購入者側入力手段から入力された希望ブラインドの機種の情報を受信する手段と、
購入者側入力手段から入力された購入希望者がブラインドに付する色として希望する色に対応するカラーパレットのカラー番号の情報を受信する色希望情報収集手段と、
前記色希望情報収集手段で受信した情報からブラインドカラーを決定する色決定手段であって、
前記カラーパレットデータベースを参照し、前記色希望情報収集手段で受信したカラー番号に対応する基準座標値を指定座標値として読み出す手段と、
前記ブラインド機種データベースを参照し、前記希望ブラインドの機種に適応可能なブラインドカラーのブラインドカラー番号を全て読み出す手段と、
前記カラーデータベースを参照し、該読み出したブラインドカラー番号に対応する基準座標値をそれぞれ読み出す手段と、
前記指定座標値と該読み出した各基準座標値との距離を求める手段と、
該求めた距離の中で最も小さい距離となる基準座標値を持つブラインドカラーを決定する手段と、
を備える前記色決定手段と、
その色決定手段で決定されたブラインドカラーを、視覚的に認識しうる色に変換して前記購入者側表示手段に表示させるべく情報を送信する送信手段と、を備えるブラインド推奨システム。
【請求項２】
コンピュータ装置を利用して、ブラインドの購入希望者によって操作される購入者側入力手段から入力された情報を受信すると共に、購入希望者によって閲覧可能となった購入者側表示手段に表示するべき情報を送信可能となったブラインド推奨システムであって、
製造可能なブラインドに付することが可能なブラインドカラーの該ブラインドカラー番号と該ブラインドカラー番号に対応する色の基準表色系における基準座標値とが対応づけられて格納されたカラーデータベースと、
製造可能なブラインドの機種とその適応可能なブラインドカラーのブラインドカラー番号とが対応づけられて格納されたブラインド機種データベースと、
基準表色系を含む複数の表色系に対応する入力画面を購入者側表示手段に表示するためのデータを格納するデータベースと、
基準表色系以外の表色系の座標と基準表色系の座標との変換式を格納する表色系変換データベースと、
購入者側入力手段から入力された希望ブラインドの機種の情報を受信する手段と、
購入者側入力手段から選択された表色系の情報を受信し、前記データベースを参照して該選択された表色系に対応する入力画面を購入者側表示手段に表示し、購入希望者がブラインドに付する色として希望する色に対応する選択された表色系における座標値の情報を受信する色希望情報収集手段と、
前記色希望情報収集手段で受信した情報からブラインドカラーを決定する色決定手段であって、
前記色希望情報収集手段で受信した選択された表色系が基準表色系であるかどうかを判定する手段と、
該判定手段によって該選択された表色系が基準表色系でないと判定された場合には、前記表色系変換データベースを参照して該選択された表色系に該当する変換式を読み出して、該変換式を用いて色希望情報収集手段で受信した座標値を基準表色系における座標値に変換したものを指定座標値とし、該判定手段によって選択された表色系が基準表色系であると判定された場合には、色希望情報収集手段で受信した座標値を指定座標値とする手段と、
前記ブラインド機種データベースを参照し、前記希望ブラインドの機種に適応可能なブラインドカラーのブラインドカラー番号を全て読み出す手段と、
前記カラーデータベースを参照し、該読み出したブラインドカラー番号に対応する基準座標値をそれぞれ読み出す手段と、
前記指定座標値と該読み出した各基準座標値との距離を求める手段と、
該求めた距離の中で最も小さい距離となる基準座標値を持つブラインドカラーを決定する手段と、
を備える前記色決定手段と、
その色決定手段で決定されたブラインドカラーを、視覚的に認識しうる色に変換して前記購入者側表示手段に表示させるべく情報を送信する送信手段と、を備えるブラインド推奨システム。
【発明の詳細な説明】
【０００１】
【発明の属する技術分野】
本発明は、横型ブラインド、縦型ブラインド、ロールスクリーン、ローマンシェード、プリーツスクリーン、アコーディオンカーテン等のブラインドの発注システムに関し、特に、コンピュータ装置を利用して、購入希望者によって操作される購入者側入力手段から入力された情報を受信すると共に、購入希望者によって閲覧可能となった購入者側表示手段に表示するべき情報を送信可能となったブラインド推奨システムに関するものである。
【０００２】
【従来の技術】
昨今、コンピュータ装置が普及して、インターネットのような公衆通信ネットワーク等を利用してオンラインでの物品の発注が日常的に利用される環境が高まっている。また、受注を受ける企業側でも、インターネット上にホームページを開設して、ユーザーや取引先に情報を発信しており、商品情報についても、ホームページ上に掲載して購入希望者の商品選択をサポートするようになっており、購入希望者は、そのサポートを受けながら、希望商品を決定する。希望商品が決定されると、購入希望者の手元にある入力手段から購入決定を表す信号を入力して送信することにより、商品の発注をオンラインで行うことができる。
【０００３】
【発明が解決しようとする課題】
ところで、ブラインドの注文を行う場合、ブラインドには多くの機種や色柄があり、ホームページの情報で、購入希望者が希望する色に適したブラインドを探し出すことは困難であるという問題がある。勿論、ホームページに限らず、コンピュータ装置を利用して、ブラインドの注文を行う場合、その表示装置に表示される色から希望の色を選択することは困難である。
【０００４】
また、購入希望者が「ピンク色」のブラインドを希望している場合に、一言でピンク色と言っても微妙な色相の相違によって色々の種類があり、どれが最も希望する色に近い色なのかを、コンピュータ装置の表示装置を見ながら購入希望者が自分で判断するのは、非常に困難である。
【０００５】
また、購入希望者が特に強く希望する色がない場合、多くの色柄から色を選択しなければならないため、購入希望者が迷ってしまい、なかなか決定できないことが多い。色だけでなく、ブラインドを取り付ける窓には、多くの種類があり、ブラインドもこれらの窓の形状に合わせて多くの機種が設定され、それぞれにいろいろな条件がある。一般の購入希望者がこれらの条件を全て理解して発注することは難しく、結局はブラインド販売店等でサンプル帳を見ながら販売員と相談しながら決定していく必要がある。ブラインドを決定する際に参考にするサンプル帳は、実物を見て決定することができるため、非常に便利であるが、ブラインドの部品の一部の実物が貼ってあるため、制作コストが高く、多量に頒布することができないために、購入希望者が販売店等に出向いてサンプル帳を見るしかない。また、簡単なパンフレットに印刷されている色を見て、購入希望者がブラインドを決めることもできるが、希望する色に近い色が選択できる保証はなく、選択失敗となる危険が大きい。
【０００６】
本発明はかかる課題に鑑みなされたもので、ブラインドを選択するために必要な判断を購入希望者に代わって判断することで、購入希望者の希望に近いブラインドを自動的に決定することができるブラインド推奨システムを提供することをその目的とする。
【０００７】
【課題を解決するための手段】
前述した目的を達成するために、請求項１記載の発明は、コンピュータ装置を利用して、ブラインドの購入希望者によって操作される購入者側入力手段から入力された情報を受信すると共に、購入希望者によって閲覧可能となった購入者側表示手段に表示するべき情報を送信可能となったブラインド推奨システムであって、
製造可能なブラインドに付することが可能なブラインドカラーの該ブラインドカラー番号と該ブラインドカラー番号に対応する色の基準表色系における基準座標値とが対応づけられて格納されたカラーデータベースと、
カラーパレットのカラー番号と該カラー番号に対応する色の基準表色系における基準座標値とが対応づけられて格納されたカラーパレットデータベースと、
製造可能なブラインドの機種とその適応可能なブラインドカラーのブラインドカラー番号とが対応づけられて格納されたブラインド機種データベースと、
購入者側入力手段から入力された希望ブラインドの機種の情報を受信する手段と、
購入者側入力手段から入力された購入希望者がブラインドに付する色として希望する色に対応するカラーパレットのカラー番号の情報を受信する色希望情報収集手段と、
前記色希望情報収集手段で受信した情報からブラインドカラーを決定する色決定手段であって、
前記カラーパレットデータベースを参照し、前記色希望情報収集手段で受信したカラー番号に対応する基準座標値を指定座標値として読み出す手段と、
前記ブラインド機種データベースを参照し、前記希望ブラインドの機種に適応可能なブラインドカラーのブラインドカラー番号を全て読み出す手段と、
前記カラーデータベースを参照し、該読み出したブラインドカラー番号に対応する基準座標値をそれぞれ読み出す手段と、
前記指定座標値と該読み出した各基準座標値との距離を求める手段と、
該求めた距離の中で最も小さい距離となる基準座標値を持つブラインドカラーを決定する手段と、
を備える前記色決定手段と、
その色決定手段で決定されたブラインドカラーを、視覚的に認識しうる色に変換して前記購入者側表示手段に表示させるべく情報を送信する送信手段と、を備える。
請求項２記載の発明は、コンピュータ装置を利用して、ブラインドの購入希望者によって操作される購入者側入力手段から入力された情報を受信すると共に、購入希望者によって閲覧可能となった購入者側表示手段に表示するべき情報を送信可能となったブラインド推奨システムであって、
製造可能なブラインドに付することが可能なブラインドカラーの該ブラインドカラー番号と該ブラインドカラー番号に対応する色の基準表色系における基準座標値とが対応づけられて格納されたカラーデータベースと、
製造可能なブラインドの機種とその適応可能なブラインドカラーのブラインドカラー番号とが対応づけられて格納されたブラインド機種データベースと、
基準表色系を含む複数の表色系に対応する入力画面を購入者側表示手段に表示するためのデータを格納するデータベースと、
基準表色系以外の表色系の座標と基準表色系の座標との変換式を格納する表色系変換データベースと、
購入者側入力手段から入力された希望ブラインドの機種の情報を受信する手段と、
購入者側入力手段から選択された表色系の情報を受信し、前記データベースを参照して該選択された表色系に対応する入力画面を購入者側表示手段に表示し、購入希望者がブラインドに付する色として希望する色に対応する選択された表色系における座標値の情報を受信する色希望情報収集手段と、
前記色希望情報収集手段で受信した情報からブラインドカラーを決定する色決定手段であって、
前記色希望情報収集手段で受信した選択された表色系が基準表色系であるかどうかを判定する手段と、
該判定手段によって該選択された表色系が基準表色系でないと判定された場合には、前記表色系変換データベースを参照して該選択された表色系に該当する変換式を読み出して、該変換式を用いて色希望情報収集手段で受信した座標値を基準表色系における座標値に変換したものを指定座標値とし、該判定手段によって選択された表色系が基準表色系であると判定された場合には、色希望情報収集手段で受信した座標値を指定座標値とする手段と、
前記ブラインド機種データベースを参照し、前記希望ブラインドの機種に適応可能なブラインドカラーのブラインドカラー番号を全て読み出す手段と、
前記カラーデータベースを参照し、該読み出したブラインドカラー番号に対応する基準座標値をそれぞれ読み出す手段と、
前記指定座標値と該読み出した各基準座標値との距離を求める手段と、
該求めた距離の中で最も小さい距離となる基準座標値を持つブラインドカラーを決定する手段と、
を備える前記色決定手段と、
その色決定手段で決定されたブラインドカラーを、視覚的に認識しうる色に変換して前記購入者側表示手段に表示させるべく情報を送信する送信手段と、を備える。
【０００８】
色希望情報収集手段は、購入希望者が希望する色に関する情報を収集し、色決定手段は、希望する色に最も近く製造可能なブラインドに付することが可能なブラインドカラーを決定する。こうして、購入希望者は、自己の好みに最も合致したブラインドカラーを選ぶことができ、選択の失敗を防ぐことができる。また、決定されたブラインドカラーを購入者側表示手段に表示して、購入希望者に確認させることで、選択の失敗を確実に防ぐことができる。希望する色の収集は、購入者側表示手段に複数の色パレットを表示して、その中から選択させる方法、数値化させた色情報を購入者側入力手段から入力させる方法、または購入者側表示手段に色度図のようなカラーチャートを表示して、その中から所望の色の点を選択させる方法などがある。数値化させた色情報を入力させる場合においても、複数の表色系の中から、基準表色系以外の購入希望者が所望する表色系で入力させるようにしてもよい。基準表色系以外の表色系で入力された場合には、表色系の変換を行って、基準表色系における数値化色情報に変換するとよい。
【０００９】
コンピュータ装置を利用して、ブラインドの購入希望者によって操作される購入者側入力手段から入力された情報を受信すると共に、購入希望者によって閲覧可能となった購入者側表示手段に表示するべき情報を送信可能となったブラインド推奨システムであって、
製造可能なブラインドに付することが可能なブラインドカラーと窓周辺条件とのマッチング度が格納された色マッチングデータベースと、
ブラインドを備える窓周辺の情報に関する情報（周辺条件情報）を収集する色関連情報収集手段と、
前記色関連情報収集手段で収集された周辺条件情報に対して、前記色マッチングデータベースを参照して周辺条件と最もマッチングするブラインドカラーを抽出する色推奨手段と、
その色推奨手段で抽出されたブラインドカラーを、視覚的に認識しうる色に変換して前記購入者側表示手段に表示させるべく情報を送信する送信手段と、を備えることができる。
【００１０】
色関連情報収集手段は、ブラインドを備える窓周辺の情報に関する情報を収集し、色推奨手段は、周辺に最も合致するブラインドカラーを決定する。こうして、購入希望者が色を決めかねる場合であっても、適切なブラインドカラーを選ぶことができ、選択の失敗を防ぐことができる。また、決定されたブラインドカラーを購入者側表示手段に表示して、購入希望者に確認させることで、選択の失敗を確実に防ぐことができる。窓周辺の情報としては、例えば、窓の種類、方位、壁紙の色、床の色等から選択される少なくとも１つ以上の情報とすることができる。
【００１１】
前記ブラインド機種データベースには、製造可能なブラインドの機種とその適応条件とが対応づけられて格納されており、
購入希望者が希望するブラインドの条件に関する情報（以下、希望条件情報という）を収集する機種関連情報収集手段と、
前記機種関連情報収集手段で収集された希望条件情報に対して、前記ブラインド機種データベースを参照して希望条件にその適応条件が合致するブラインドの機種を抽出する機種決定手段と、
をさらに備え、前記送信手段は、
機種決定手段で決定されたブラインドのイメージ情報を、視覚的に認識しうるイメージで前記購入者側表示手段に表示させるべく、送信する処理を行うものとすることができる。
【００１２】
機種関連情報収集手段は、購入希望者が希望するブラインドの条件に関する情報を収集し、機種決定手段は、希望するブラインドの条件に適応するブラインドの機種を決定する。こうして、購入希望者は、適切なブラインド機種を選ぶことができ、選択の失敗を防ぐことができる。また、決定されたブラインドのイメージ情報を購入者側表示手段に表示して、購入希望者に確認させることで、選択の失敗を確実に防ぐことができる。
【００１３】
前記機種決定手段が、前記希望条件に合致する適応条件を有するブラインドの機種が存在しないときに、希望条件の一部を変更する処理を行い、変更した条件に対して、前記ブラインド機種データベースを参照して合致する適応条件を有するブラインドの機種を抽出することができる。
【００１４】
希望条件に合致する適応条件を有するブラインドの機種が存在しないときでも、希望条件の一部を変更すれば、言い換えれば、一部の条件を緩和すれば適応条件が合致するブラインドの機種が存在するときには、そのブラインドの機種を抽出するようにして、可能な限り購入希望者の希望に近い形でブラインドを推奨することができる。
【００１５】
前記変更する希望条件がブラインドの寸法であり、前記機種決定手段は、ブラインドの寸法を複数に分割し、複数の分割された寸法に合致する適応条件を有するブラインドの機種を抽出することができる。
【００１６】
最も重要な条件である寸法条件を緩和することにより、適応条件が合致するブラインドの機種を確実に抽出することができる。
【００１７】
前記ブラインド機種データベースには、製造可能なブラインドの機種とその適応条件とが対応づけられて格納されており、
購入希望者が希望するブラインドの機種（希望機種情報）及びブラインドの条件に関する情報（希望条件情報）を収集する機種関連情報収集手段と、
前記機種関連情報収集手段で収集された希望条件情報に対して、前記ブラインド機種データベースを参照して、前記希望機種の適応条件が希望条件に合致するかどうかを判定すると共に、合致しない場合に、希望機種に合致するよう希望条件の一部を変更する処理を行う機種決定手段と、
をさらに備え、前記送信手段は、
希望機種のブラインドのイメージ情報を、視覚的に認識しうるイメージで前記購入者側表示手段に表示させるべく、送信する処理を行うものとすることができる。
【００１８】
希望条件が希望機種の適応条件に合致しないときでも、希望条件の一部を変更すれば、言い換えれば、条件を緩和すれば希望機種の適応条件が合致するときには、希望条件を変更するようにして、可能な限り希望機種を推奨することができる。この場合、希望機種のイメージを購入者側表示手段に表示して、購入希望者に確認させることで、選択の失敗を確実に防ぐことができる。
【００１９】
前記ブラインド機種データベースには、製造可能なブラインドの機種とその適応条件とが対応づけられて格納されており、
購入希望者が希望するブラインドの機種（希望機種情報）及びブラインドの条件に関する情報（以下、希望条件情報という）を収集する機種関連情報収集手段と、
前記機種関連情報収集手段で収集された希望条件情報に対して、前記ブラインド機種データベースを参照して、前記希望機種の適応条件が希望条件に合致するかどうかを判定すると共に、合致しない場合に、前記ブラインド機種データベースを参照して希望条件に合致する機種を抽出して、代替機種とする機種決定手段と、
をさらに備え、前記送信手段は、
代替機種のブラインドのイメージ情報を、視覚的に認識しうるイメージで前記購入者側表示手段に表示させるべく、送信する処理を行うものとすることができる。
【００２０】
希望条件が希望機種の適応条件に合致しないときでも、希望機種を変更すれば、その適応条件が希望条件に合致するときには、希望機種を変更した代替機種として、可能な限り希望条件に合致した推奨を行うことができる。この場合、代替機種のイメージを購入者側表示手段に表示して、購入希望者に確認させることで、選択の失敗を確実に防ぐことができる。
【００２１】
また、本発明は、ブラインド推奨プログラムとして構成することもできる。ブラインド推奨プログラムは、製造可能なブラインドに付することが可能なブラインドカラーが基準表色系で数値化された色情報（ブラインドカラー情報）として格納されたカラーデータベースを備えたコンピュータ装置を、
購入希望者がブラインドに付する色として希望する色に関する情報（以下、希望色情報という）を収集する色希望情報収集手段と、
前記色希望情報収集手段で収集された希望色情報に対して、必要に応じて希望色情報を基準表色系で数値化された希望色情報に変換すると共に、前記カラーデータベースから、ブラインドカラー情報と前記数値化された希望色情報との色差が最も小さいブラインドカラーを抽出する色決定手段と、
その色決定手段で抽出されたブラインドカラーを、視覚的に認識しうる色に変換して前記購入者側表示手段に表示させるべく送信する送信手段と、
として機能させるものとすることもできる。
【００２２】
または、ブラインド推奨プログラムは、製造可能なブラインドに付することが可能なブラインドカラーと窓周辺条件とのマッチング度が格納された色マッチングデータベースを備えたコンピュータ装置を、
ブラインドを備える窓周辺の情報に関する情報（以下、周辺条件情報という）を収集する色関連情報収集手段と、
前記色関連情報収集手段で収集された周辺条件情報に対して、前記色マッチングデータベースを参照して周辺条件と最もマッチングするブラインドカラーを抽出する色推奨手段と、
その色推奨手段で抽出されたブラインドカラーを、視覚的に認識しうる色に変換して前記購入者側表示手段に表示させるべく送信する送信手段と、
して機能させることもできる。
【００２３】
【発明の実施の形態】
以下、図面を用いて本発明の実施の形態を説明する。尚、本発明は明細書内で説明する実施形態に限定されることなく、特許請求の範囲内で種々の変形が可能である。
【００２４】
図１は、本発明のブラインド推奨システムの実施形態を表す全体ブロック図である。図において、符号２０はブラインド推奨システムであり、ブラインド推奨システム２０は、購入希望者によって操作される購入者側入力手段１０及び購入希望者が閲覧可能となった購入者側表示手段１２に接続可能となっている。購入者側入力手段１０は、具体的には、キーボード、マウス、ジョイスティック、その他のポインティングデバイス等で構成することができる。また、購入者側表示手段１２は、具体的には、ＣＲＴ、ＬＣＤ、ＥＬディスプレイ等で構成される。
【００２５】
これらの購入者側入力手段１０及び購入者側表示手段１２と、ブラインド推奨システム２０とは、図２に示すように、購入者側入力手段１０及び購入者側表示手段１２と、これらにケーブルで接続されたコンピュータ本体（即ち、ブラインド推奨システム２０に対応する）からなるコンピュータ装置で実現することができ、または、購入者側入力手段１０及び購入者側表示手段１２と、これらにケーブルで接続されたコンピュータ本体がブラインド販売店等に設置されており、このコンピュータ本体がさらにホストコンピュータに接続された場合のホストコンピュータ（即ち、ブラインド推奨システム２０に対応する）からなるコンピュータ装置で実現することもでき、いずれの場合であっても購入希望者がブラインド販売店等で購入者側入力手段１０を操作しながら、ブラインドの発注を行う態様と、図３に示すように、購入者側入力手段１０及び購入者側表示手段１２と、これらがケーブルでコンピュータ本体１４に接続され、そのコンピュータ本体１４からさらに、モデム、ＤＳＵ及びＴＡ等を介して、必要に応じてプロバイダまたはイントラネットを介し、さらにインターネット等の公衆ネットワーク回線または専用ネットワーク回線を介してＷＷＷサーバーに接続可能となった場合のＷＷＷサーバー（即ち、ブラインド推奨システム２０に対応する）からなるコンピュータ装置で実現された態様等が考えられ、いずれの場合でも適用可能である。図２及び３に示す場合、コンピュータ本体１４自体は、購入希望者の自宅、自宅以外のインターネットが使用できる環境、またはブラインド販売店のいずれにあってもよい。図３に示す場合、コンピュータ本体１４は、内部に図示しないＣＰＵ、ＲＡＭ、ＲＯＭ、通信インターフェース回路、固定ディスク等の記憶部等を備え、ＷＷＷサーバーで実現されるブラインド推奨システムからのハイパーテキスト形式のファイルを受信し、また、データの送信を行うことができるように、送受信プログラムを備えている。
【００２６】
ブラインド推奨システム２０は、内部に図示しないＣＰＵ、ＲＡＭ、ＲＯＭ、通信インターフェース回路、固定ディスク等の記憶装置等を備え、記憶装置等に記憶されたプログラムをＣＰＵで実行することにより、各機能を実現するものである。その機能としては、図４に示すように、大別して、適応ブラインドを決めるために必要な情報を購入希望者から収集する機種関連情報収集手段２１と、機種関連情報収集手段２１によって収集した情報から適応するブラインドの機種を決定する機種決定手段２２と、購入希望者が希望するブラインドの色に関する情報を収集する色希望情報収集手段２３と、ブラインドの色を決定するブラインドの色決定手段２４と、推奨色を決めるために必要な情報を購入希望者から収集する色関連情報収集手段２５と、ブラインドの色を購入希望者に推奨する色推奨手段２６と、機種決定手段２２及び色決定手段２４または色推奨手段２６によって決定されたブラインドの情報及びイメージ図を購入者側表示手段１２へと表示させるための情報を送信する送信手段２７と、発注を受け付ける注文受付手段２８と、を備えている。
【００２７】
また、ブラインド推奨システム２０の記憶装置には、各種情報が記録される各種ファイルが格納されており、購入者側表示手段１２へ表示するための表示ファイルや画像ファイル、必要があれば音声ファイル等が格納される。また、ブラインド推奨のために必要な各種データベース２００〜２０９、ブラインドの発注を受けたブラインド情報を管理するための注文管理データベース２１０が設けられる。
【００２８】
次に、購入者側表示手段１２に実際に表示される画面と、購入者側入力手段１０から入力されるデータに基づいて、ブラインド推奨システム２０で行われる処理について説明していく。
【００２９】
図２の場合にはブラインド推奨システム２０を起動して、図３の場合には、コンピュータ本体１４からネットワーク回線を介してブラインド推奨システム２０を実現するＷＷＷサーバーのＵＲＬへとアクセスして、購入者側表示手段１２に初期画面を表示させる（図５（ａ））。図５（ａ）のスタートボタンが購入者側入力手段１０の操作により選択されると、図５（ｂ）に示す画面が表示される。この画面は、ブラインドの機種を決定するための画面であり、各設問を表示すると共にそれに対する回答を促すようになっている。設問は、「１．用途」「２．部屋の種類」、「３．窓の種類」、「４．取付け方」、「５．窓枠寸法」、「６．取付け高さ」、「７．操作位置」が設定されている。「１．用途」に対する回答としては、「住宅用」、「オフィス用」…等の選択肢がドロップダウン型で用意されている。「２．部屋の種類」に対する回答としては、用途に対する回答に応じて、「住宅用」の場合には、「居間」、「食堂」、「台所」、「寝室」、「子供部屋」、「洗面所」、「浴室」、「その他」…等の選択肢が用意されており、また、「オフィス用」の場合には、「事務室」、「倉庫」、「食堂」、「洗面所」、「会議室」、「店舗」、「厨房」、「エントランスホール」、「その他」…等の選択肢が用意されている。これら、住宅用の選択肢及びオフィス用の選択肢は、設問１の回答が入力されたときに、そのドロップダウン型リストの候補が切換えられるようになっている。「３．窓の種類」に対する回答としては、「掃き出し窓」、「腰窓」、「出窓」、「異形窓」、「天窓」、「傾斜窓（９０度より小さく、××度以上）」、「傾斜窓（××度より小さく○○度以下）、「傾斜窓（○○度より小さく０度より大きい）」、「高窓」等の選択肢がドロップダウン型リストの候補として用意されている。「４．取付け方」に対する回答としては、「正面付け（窓枠の外側への取付け）」、「天付け（窓枠内への取付け）」、「カーテンレール（カーテンレールへの取付け）」等の選択肢がドロップダウン型リストの候補として用意されている。この「４．取付け方」については、予め、静止画または動画による図解が各選択肢毎に用意されており、図示したように取付け方全部の図解を表示するか、または、ある選択肢が選択されたときに、対応する図解が表示される。各図解は、そのブラインドの取付け方の違いを表示している。また、取付け方に関しては、ブラインドを保持するブラケットを必ず取付け下地に固定することができるように注意しなければならない。取付け方が選択されたときに、必要な取付け下地のための窓枠または壁面の条件を別画面等で表示して、購入希望者に注意を喚起すると効果的である。
【００３０】
購入者側入力手段１０から、これら設問１．から４．までの回答が入力されて、「次へ」のボタンが選択されると、機種関連情報収集手段２１の機能により、その回答の仕方によって選択された次の画面が表示される。即ち、寸法の測り方は窓の種類に応じて異なる場合があり、例えば、出窓や異形窓のような形状が変形な窓の種類である場合には、通常の窓の場合の測り方と大きく異なる。そのため、設問の続き画面は複数の種類が用意されていおり、設問３に対する回答に応じて、機種関連情報収集手段２１が適当な画面を選択して、購入者側表示手段１２に表示する。また、図５（ｂ）の画面で「キャンセル」のボタンが選択された場合には、処理を終了する。
【００３１】
図６は、特別な寸法の測り方を要求しない通常の窓の種類が選択された場合の画面例である。「５．窓枠寸法」に対しては、幅と高さの数値の入力を受け付ける。設問４における取付け方に応じた寸法の測り方についての、静止画または動画による図解が用意されており、全ての取付け方に対する寸法の測り方の図解を表示するか、または、設問４で「正面付け」が選択された場合には、「正面付け」の場合の寸法の測り方のみが、「天付け」が選択された場合には、「天付け」の場合の寸法の測り方のみが、表示される。「６．取付け高さ」に対しては、床からヘッドボックスの取付け高さの数値の入力を受け付ける。「７．操作位置」に対する回答としては、「右側」、「左側」の選択肢がドロップダウン型リストの候補として用意されており、ブラインドに対して操作部を設置する側の指定を受け付ける。
【００３２】
図７は、設問３の窓の種類において、「出窓」が選択された場合の画面例である。
「５．窓枠寸法」に対しては、出窓の場合、実寸法から調整寸法をマイナスする必要があり、この調整寸法は、出窓の種類、連設するブラインドの角度、回り縁が有る場合と無い場合及び回り縁の高さ等によって異なる。そのために、小設問が幾つか設定されている。例えば、小設問「５−１−１．出窓の種類」に対する回答としては、「出窓１」、「出窓２」等の選択肢がドロップダウン型リストの候補として用意されており、その図解が併せて表示されている。また、小設問「５−１−２．ブラインドの角度」に対する回答としては、その角度の数値の入力を受け付けるようになっている。小設問「５−１−３．回り縁の有無」は、「有る」、「無し」の選択肢が用意されており、「有る」の選択肢が選択された場合にのみ、次の小設問「５−１−４．回り縁の高さ」の設問が有効となり、その高さの数値の入力を受け付ける。設問「６．取付け高さ」、「７．操作位置」については、通常の窓の場合と同様である。
【００３３】
図８は、設問３の窓の種類において、「異形窓」が選択された場合の画面例である。「異形窓」にも複数の種類がさらにあり、その種類によって測り方が異なるために、さらに、その種類に応じて設問が分岐される。まず、小設問で異形窓の種類の質問がなされる。即ち、小設問「５−２−１．異形窓の種類」に対する回答として、「直角三角形１」、「直角三角形２」、「傾斜台形１」、「傾斜台形２」、「円形」、「半円形」、「アーチ形」、「台形１」、「台形２」、「五角形１」、「五角形２」、「上部切欠き１」、「上部切欠き２」、「下部切欠き１」、「下部切欠き２」等の選択肢が用意されている。さらに、この質問に対する選択肢に応じて、適した寸法の入力を受け付ける（詳細については省略する）。
【００３４】
購入者側入力手段１０から、図６、図７または図８の設問に対する入力が行われて、「ＯＫ」ボタンが押されると、機種関連情報収集手段２１がこれらの情報を受信し、記憶装置の所定の領域に一旦これらの情報を格納する。そして、機種決定手段２２が起動する。図９は、機種決定手段２２で行われる処理を表すフローチャート図である。機種決定手段２２は、ブラインド機種データベース２００を参照して、適応するブラインドの複数の候補を抽出する処理を行うものである。ブラインド機種データベース２００には、各ブラインド機種ごとに適応可能な部屋の種類、窓の種類、取付け方、窓の種類毎に製作可能な寸法の範囲の諸データが格納されている（図２０）。従って、ブラインド機種データベース２００を参照して、前記設問に対する購入希望者の回答から製作可能なブラインド機種を全て選択する。即ち、まず設問１ないし設問４で選択された選択肢に適応できるブラインド機種を抽出する（ステップＳ２２０）。次に、窓の種類が、変形窓であるかどうかを判定し（ステップＳ２２２）、変形窓でない場合には、設問５で入力された数値が製作可能な寸法の範囲内であるかどうかを判定する（ステップＳ２２４）。また、窓の種類が出窓である場合には、機種決定手段２２は、出窓データベース２０２を参照する。出窓データベース２０２は、図２１に示すように、出窓の種類、角度、回り縁の有無及び回り縁の高さに応じた調整寸法のデータが格納されたテーブルとなっており、出窓データベース２０２を参照して、入力データに基づき調整寸法を抽出し、その調整寸法を実寸法から差し引き、調整済みの寸法を算出する（ステップＳ２２６）。そして、この調整済み寸法が、製作可能な範囲となっているかどうかを判定する（ステップＳ２２８）。同様に、窓の種類が「異形窓」であった場合、機種決定手段２２は、異形窓データベース２０４を参照して、調整を行い（ステップＳ２３０）、調整済み寸法が、製作可能な範囲となっているかどうかを判定する（ステップＳ２３２）。
【００３５】
次に、ステップＳ２２４、Ｓ２２８、またはＳ２３２において、判定結果が製作可能な寸法な範囲であるとなっている場合には、ステップＳ２３４に進み、購入者側表示手段１２にその適応ブラインドリストを表示する。逆に、ステップＳ２２４、Ｓ２２８またはＳ２３２において、判定結果が製作不能な寸法範囲であるとなっている場合には、ステップＳ２３５に進み、ステップＳ２２０で適応ブラインドとして抽出されたブラインド以外で製作可能な寸法範囲となる代替ブラインドがあるかを判定する。代替ブラインドを抽出する際には、ブラインド機種データベース２００を参照するとよく、このとき、代替ブラインドを元の適応ブラインドの機種と近い機種から選択するように、機種の選択範囲を予め決めておくとよい。そして、ステップＳ２３５の判定がｙｅｓである場合はステップＳ２３６に進み、ステップＳ２３５の判定がｎｏである場合はステップＳ２４２に進み、ステップＳ２３５の判定結果がｙｅｓ、ｎｏ、いずれの場合であっても、設問５で入力された寸法、または調整済みの寸法を分割する。そして、分割された寸法が、ステップＳ２２０で適応ブラインドとして抽出されたブラインドの製作可能な寸法の範囲内かどうかを判定する（ステップＳ２３８、Ｓ２４４）。ステップＳ２３８の判定がｙｅｓである場合には、ステップＳ２４０に進み、代替ブラインド案及び分割案を購入者側表示手段１２に表示する。ステップＳ２３８の判定がｎｏである場合には、ステップＳ２３９に進み、代替ブラインド案のみを表示する。ステップＳ２４４の判定がｙｅｓである場合には、ステップＳ２４６に進み、分割案を購入者側表示手段１２に表示する。また、ステップＳ２４４の判定がｎｏである場合には、ステップＳ２４８に進み、その理由を購入者側表示手段１２に表示する。
【００３６】
購入者側表示手段１２に表示される表示例を図１０に示す。表示例では、各適応ブラインド毎にブラインドの機種、商品名、タイプ、寸法、取付け高さ、操作位置、合計数量、価格、備考が一覧表示される。備考欄には、条件や対応策があるブラインドについて、マークが付されており、そのマークを選択すると、そのマークにハイパーリンクされた画面が、購入者側表示手段１２の画面上で別画面として開き、その商品についての他の条件や対応策が提示される。また、商品名もホットテキスト化されており、その部分を選択すると、その商品名にハイパーリンクされた画面が、購入者側表示手段１２の画面上で別の画面として開き、その商品の詳細が提示される。その商品の詳細とは、例えば、仕様や施工例などである。
【００３７】
また、分割案を表示する場合の表示例を図１１に示す。適応可能な分割案に対して、それぞれその分割案に基づいて構成される複数のブラインドのそれぞれブラインドの機種、商品名、タイプ、寸法、取付け高さ、操作位置が表示される。合計数量は、それらの複数のブラインドの合計数となる。また、製作可能なブラインドが存在しない場合には、その理由が表示され、そして設問画面に戻り、設問と回答を表示する。その際に、その理由となった設問と回答について点滅表示がなされるとよい。
【００３８】
また、図１０及び図１１に示すように、各適応ブラインド候補がある場合について、各ブラインド候補のチェックボックスが設けられており、購入希望者に希望ブラインドのチェックボックスへのチェックを促す。
【００３９】
そして、チェックがなされた後、「ＯＫ」のボタンが選択されると、図１２(ａ)に示す画面が表示される。この画面は、ブラインドの色を決定するための画面である。色の決定の仕方としては、購入希望者が直接ブラインドカラーを指定する方法と、購入希望者が希望の色を指定する方法と、があり、購入希望者が所望の方法を選択できるようになっている。購入希望者が直接ブラインドカラーを指定する方法を選択した場合には、図１２（ｂ）の画面が表示され、購入希望者にそのカラーＮｏ．の入力を促す。このときに、「詳細」ボタンが選択されると、カラーサンプルとそのカラーＮｏ．とが対応した画面が購入者側表示手段１２で別画面として表示される(図１２（ｃ）)。このカラーサンプルは、色相順、番号順に任意にソート可能である。その詳細画面でカラーＮｏ．を指定すると、そのカラーＮｏ．が色希望情報収集手段２３へと送られる。色希望情報収集手段２３では、図１２（ｄ）に示す確認画面を購入者側表示手段１２に表示する。このとき、確認を求めたカラーＮｏ．が正しいものでなかった場合には、購入希望者が「訂正」ボタンを選択することにより、図１２（ｂ）の画面に戻る。
【００４０】
また、購入希望者が希望の色を指定する方法を選択した場合には、図１３(ａ)の画面が表示され、複数の方法の中から購入希望者が所望の方法で色を指定できるようになっている。その第１の方法は、図１３（ｂ）に示すカラーパレットから選択する方法である。カラーパレットと前述のカラーサンプルとの相違は、カラーサンプルはブラインドに着色することができる製造可能な既定色であるのに対して、カラーパレットはそれにはこだわらず、多数の色となっている点である。前述のカラーサンプルからブラインドカラーＮｏ．を選択した場合と同様にカラーパレットから希望のカラーＮｏ．を選択すると、そのカラーＮｏ．が色希望情報収集手段２３へと送られる。色希望情報収集手段２３では、図１３（ｃ）に示す確認画面を購入者側表示手段１２に表示する。
【００４１】
第２の方法は、希望色をカラーチャートから／または数値で指定する方法である。この場合、指定方式をさらに選択する。即ち、色を表現するための表色系としては、ＲＧＢで表現するＲＧＢ表色系、ＲＧＢの補色であるＣＭＹで主に表現するＣＭＹＫ方式、ＸＹＺ表色系、Ｌ*ａ*ｂ*表色系またはＣＣＳ方式等複数の方式があるため、図１３(ａ)の画面において、カラーチャートから／または数値で選択する場合が選択された場合には、図１４(ａ)の画面に移行し、購入希望者にとって色を特定しやすい表色系の選択を求める。ブラインド推奨システム２０は、選択可能なすべての表色系に対して、その表色系に適したカラーチャートとその数値入力ボックスとが表示された画面を購入者側表示手段１２に表示するためのデータを用意している。カラーチャートは、色変化が連続して表現された図であり、例えば、図１４（ｂ）に示したように、色度図及び明度を表す図とすることができ、色度図は、一例として横軸に色相、縦軸に彩度を表すことができる。この色度図及び明度の任意の点をマウス等のポインタなどで指定することにより、希望する色を指定することができる。または、表色系の数値（図１４（ｂ）の例ではＲＧＢの数値）を直接入力することにより、希望の色を指定することができる。そして、色希望情報収集手段２３によって図１４（ｃ）に示すような確認画面が表示される。
【００４２】
こうして、色の指定が終了して、購入者側入力手段１０から確認ボタンが選択されると、その確認画面に表示された情報を色希望情報収集手段２３が受信し、前述の機種決定手段２２で決定され購入希望者が希望した希望ブラインドの情報と共に記憶装置の所定領域に一旦これらの情報を格納する。次いで、色決定手段２４が起動する。図１５は、色決定手段２４で行われる処理を表すフローチャート図である。図において、まず、ブラインドカラーが指定されたかどうか、即ち、カラーサンプルのカラーＮｏ．が購入者側入力手段１０から入力されたかどうかを判定する(ステップＳ２５０)。ステップＳ２５０の判定がｙｅｓの場合には、ブラインド機種データベース２００を参照して、指定されたブラインドカラーが希望ブラインドに着色可能なブラインドカラーであるかどうかを判定する（ステップＳ２５１）。この判定がｙｅｓである場合には、さらなる色決定のための処理は不要であり、推奨ブラインドの表示を行うための処理(ステップＳ２６４)へと進む。ステップＳ２５１での判定がｎｏである場合には、カラーデータベース２０５を参照する。カラーデータベース２０５には、各カラーサンプルのカラーＮｏ．に対応して、その基準表色系における基準座標値が格納されており（図２２（ａ））、指定されたカラーＮｏ．に対応する基準座標値を読み出す(ステップＳ２５３)。ここで、「基準表色系」は、このシステムで予め定めたある１つの表色系であり、既存またはユニークな表色系の中で、任意の表色系とすることができる。
【００４３】
一方、ブラインドカラーが指定されていない場合（ステップＳ２５０で判定がｎｏの場合）には、次に、カラーパレットのカラーＮｏ．が入力されたかどうかを判定する(ステップＳ２５２)。カラーパレットのカラーＮｏ．が入力されていた場合には、カラーパレットデータベース２０６を参照する。カラーパレットデータベース２０６には、各カラーパレットのカラーＮｏ．に対応して、その基準表色系における基準座標値が格納されており（図２２（ｂ））、指定されたカラーＮｏ．に対応する基準座標値を読み出す(ステップＳ２５４)。
【００４４】
一方、カラーパレットのカラーＮｏ．が入力されていない場合（ステップＳ２５２で判定がｎｏの場合）には、購入希望者の所望の表色系において、カラーチャートのポイントまたは数値が指定されており、所望の表色系における座標値が送信されている。従って、その表色系が基準表色系であるかどうかを判定する(ステップＳ２５６)。表色系が基準表色系でない場合には、表色系変換データベース２０８を参照し、その表色系変換データベース２０８に格納された変換式に基づき、変換する(ステップＳ２５８)。例えば、基準座標値をｘ、ｙ、ｚとし、所望の表色系における座標値がａ、ｂ、ｃである場合、一般的に、
【００４５】
【数１】
0004074454.tif 000002
と表すことができる。表色系変換データベース２０８には、この具体的な関数ｆ１、ｆ２、ｆ３が、基準表色系以外の各表色系ごとに格納されている。
【００４６】
こうして、ステップＳ２５３、Ｓ２５４及びＳ２５８において、それぞれ指定された基準座標値が得られると、次に、ブラインド機種データベース２００を参照して、希望ブラインドに着色可能な全てのブラインドカラー、即ち、カラーサンプルＮｏ．を読み出し、さらに、カラーデータベース２０５でそのカラーサンプルＮｏ．に対応するそれぞれの基準表色系における基準座標値を読み出し、指定された基準座標値と、希望ブラインドに着色可能な全てのブラインドカラーのそれぞれの基準座標値との距離（色差）を演算する(ステップＳ２６０)。指定された基準座標値がｘ、ｙ、ｚであり、あるブラインドカラーの基準座標値がｘi、ｙi、ｚiであるとすると、距離（色差）ｄiは、
【００４７】
【数２】
0004074454.tif 000003
と定義することができる。そして、複数のｄi（ｉ＝１，２，…）の中で最小値となるときの基準座標値を持つブラインドカラーを決定色とすることができる(ステップＳ２６２)。
【００４８】
こうしてブラインドカラーが決定すると、送信手段２７が起動して、送信手段２７が、推奨されるブラインドとして、希望ブラインドに上記決定されたブラインドカラーが着色されたブラインドを、購入者側表示手段１２に表示するための情報を、送信する(ステップＳ２６４)。送信手段２７から送られた情報に基づき、購入者側表示手段１２に表示される表示例を図１６に示す。この表示例では、推奨ブラインドの商品名、タイプ、色柄、寸法、取付け高さ、操作位置、合計数量、価格、納品予定日が一覧表示される。また、台数の入力を促す入力ボックスが設けられている。同時に、そのブラインドに対してさらに指定してもらうべき事項があれば、その指定、オプションの必要の有無の入力等を求めるようになっている。また、サブフレームには、購入希望者が図１０等において選択した希望ブラインドに、決定されたブラインドカラーが着色されたブラインドのイメージ画面を表示し、全体イメージを購入希望者が確認することができるようになっている。そして、購入希望者が自分のイメージと合致するかどうかを確認することができる。特に色のイメージは、一部の断片が着色されたものを見たときと、全体に着色されたものを見たときとでは、異なる印象となる傾向がある。このように画面上の一部ではあっても、ブラインド全体に着色したイメージ図を見ることによって、イメージと実物とのキャップを縮めることができる。また、窓枠も併せて表示することにより、取付け方の注文間違いも排除することができる。さらには、取付け下地の確認の注意書きを併せて表示することにより、注文間違いを排除することができる。
【００４９】
以上の項目の内容を確認して、購入希望者が注文して良いと判断した場合には、「注文」ボタンの選択をする。イメージ画面を見た結果、イメージと異なる場合、取付け方が正しくない場合、または注意書きなどを見て適さないことが判明した場合など、購入希望者がもう一度やり直して、別のブラインドを注文したいと判断した場合には、「やり直し」ボタンの選択をする。さらには、購入希望者が最初からやり直したい場合には、「キャンセル」ボタンの選択をする。また、購入希望者が印刷を希望する場合には、「印刷」ボタンの選択をする。
【００５０】
「注文」ボタンが選択されると、注文受付手段２８が起動して、図１７（ａ）に示す最終確認画面を表示する。「やり直し」ボタンが選択されると、図１０等に示す適応ブラインド候補リスト画面へと戻る。または、「キャンセル」ボタンが選択されると、図５(ａ)に示す初期画面へと戻る。「印刷」ボタンが選択されると、購入者側表示手段１２に接続されプリンタを制御する制御部に格納されたプリンタ・ドライバが起動して、プリンタにブラインドのイメージ画面を印刷させる。このときに、実際のブラインドの色にできるだけ近い色が印刷されるように、印刷実行前に印刷設定画面を表示して、プリンタの種類（例えば、インクジェット式、レーザー式等）に応じて適切な設定を行うと共に、推奨する用紙やプリンタができるようにするとよい。
【００５１】
図１７（ａ）に示す最終確認画面では、推奨されたブラインドの内容が表示され、「発注」ボタン、「さらに注文」ボタン、「キャンセル」ボタンの選択ができるようになっている。「さらに注文」ボタンが選択されると、この表示された情報を保持した状態で、再び、図５（ｂ）に示す画面へと戻る。そして、別の推奨ブラインドが決められた後、最終確認画面へと進むと、注文受付手段２８が、図１７（ｂ）に示すように、すでに注文しているブラインドと併せて表示を行い、合計金額の表示を行う。図１７（ａ）または図１７（ｂ）で示した最終確認画面においても、イメージ画面が表示されるので、購入希望者は、注文して良いかどうか的確な判断をすることができる。
【００５２】
次に、図１７（ａ）または図１７（ｂ）の最終確認画面において、「発注」ボタンが選択されると、図１８に示す発注画面を表示し、送付先住所、氏名、連絡先（電話、メールアドレス）の入力を求め、決済方法を選択させて、クレジットカード番号等の所定のデータの入力を求める。そして、これらの入力が行われて、送信ボタンが選択されると、注文受付手段２８が起動して、正しく入力されたかどうかをチェックし、正しく入力が行われていない場合には、エラーメッセージを表示すると共に、再び発注画面を表示する。正しく入力が行われている場合には、これらの送付先住所、氏名等のデータと、推奨されたブラインドデータとを関連付けて、購入者側表示手段１２に表示すると共に、注文管理データベース２１０へと登録する。
【００５３】
以上の処理の流れにおいて任意には、前述の処理の代わりに、または前述の処理と選択・択一的に、購入希望者が希望機種を一覧の中から自分で選択可能とすることができる。このとき、希望機種の選択として、価格帯に分けて表示することにしてもよい。機種を選択した後は、前述の設問３以降の設問を表示して、前述の実施形態と同様に回答を促す。そして、機種決定手段２２が、購入希望者の希望した機種が設問３以降の条件を満足することができるかどうかを判断する。具体的には、図９におけるフローチャートの中のステップＳ２２２以降の処理を行い、購入希望者の希望した機種の製作可能な範囲内に、入力された寸法または調整された寸法が入っているかどうかを判定する（ステップＳ２２４、Ｓ２２８、Ｓ２３２と同様）。入っていない場合には、ステップＳ２３５以降の処理を行い、ステップＳ２３５で、購入希望者の希望した機種以外で、製作可能な寸法となるブラインドがあるかどうかを判定する。代替ブラインドを抽出する際には、ブラインド機種データベース２００を参照するとよく、このとき、代替ブラインドを元の希望ブラインドの機種と近い機種から選択するように、機種の選択範囲を予め決めておくとよい。そして、ステップＳ２３５の判定結果がいずれであっても、設問５で入力された寸法、または調整済みの寸法を分割する（ステップＳ２３８、Ｓ２４４）。ステップＳ２３８の判定がｙｅｓである場合には、ステップＳ２４０に進み、代替ブラインド案及び分割案を購入者側表示手段１２に表示する。ステップＳ２３８の判定がｎｏである場合には、ステップＳ２３９に進み、代替ブラインド案のみを表示する。ステップＳ２４４の判定がｙｅｓである場合には、ステップＳ２４６に進み、分割案を購入者側表示手段１２に表示する。また、ステップＳ２４４の判定がｎｏである場合には、ステップＳ２４８に進み、その理由を購入者側表示手段１２に表示する。このように購入希望者の希望機種を優先して機種を決定する処理とすることもできる。
【００５４】
また、任意には、設問１及び設問２以外に設問として、部屋の細かい種別、間取り、窓の方位などの細かい条件を設問項目として増やすことにより、抽出する適応ブラインドの適応度を向上させることも可能である。
【００５５】
さらには、図１２ないし図１４で説明した希望色を購入希望者に指定させる代わりに、または希望色の指定と選択・択一的に、色の決定に関して、適応する色をブラインド推奨システム２０が推奨することもできる。この実施形態を図１９に示す。
【００５６】
図１９の実施形態では、「１１．部屋の種類」、「１２．窓の方位」、「１３．壁紙の色」及び「１４．床の色」の４つの設問が設定されている。勿論、これ以外の設問を用意することも可能である。「１１．部屋の種類」は設問３の「３．部屋の種類」と内容が全く重複する場合には、省略可能である。「１３．壁紙の色」及び「１４．床の色」に関しては、カラーパレット（図１２（ｃ））からの選択と同様である。これらの設問は、ブラインドを設定しようとする周辺の壁紙及び床の色に最も近い色の選択を求めるもので、設問に隣接した「詳細」ボタンが選択されると、図１２（ｃ）に示す如き、カラーサンプルが表示され、これらの中から近い色を指定できるようになっている。これらのデータが入力された後、「ＯＫ」ボタンが購入者側入力手段１０から選択されると、設問の回答を色関連情報収集手段２５が受信して、前述の機種決定手段２２で決定された適応ブラインドの情報と共に記憶装置の所定領域に一旦、これらの情報を格納する。そして、色推奨手段２６が起動する。色推奨手段２６では、回答データから最も適したブラインドカラーを抽出する。このために、色マッチングデータベース２０９を参照する。色マッチングデータベース２０９には、ある条件とブラインドカラーとの色のマッチング度が格納されている。色マッチングデータベース２０９を用いて、ある候補のブラインドカラーと部屋の種類とのマッチング度、ある候補のブラインドカラーと方位とのマッチング度、ある候補のブラインドカラーと入力された壁紙の色とのマッチング度、ある候補のブラインドカラーと入力された床の色とのマッチング度の合計を演算し、最も高い合計のマッチング度を有する候補のブラインドカラーを抽出し、その色を推奨とする。また、任意には、色マッチングデータベース２０９を多次元（条件数＋１）のマトリックス、即ち、多数の条件（部屋の種類、方位、壁紙色、床色）と候補の色とのマッチング度が一義的に決められたマトリックスとすることもでき、そのマトリックスから与えられた条件の中で最も高いマッチング度となる色を推奨色として選ぶようにすることもできる。
【００５７】
【発明の効果】
以上説明したように、本発明によれば、購入希望者の希望に近く、または選択の失敗とならないブラインドを自動的に決定することができる。
【図面の簡単な説明】
【図１】本発明のブラインド推奨システムを含む全体構成図である。
【図２】本発明のブラインド推奨システムを実現するための構成図である。
【図３】本発明のブラインド推奨システムを実現するための図２とは異なる構成図である。
【図４】ブラインド推奨システムのブロック図である。
【図５】購入者側入力手段で表示される機種決定のための画面例である。
【図６】購入者側入力手段で表示される機種決定のための画面例である。
【図７】購入者側入力手段で表示される機種決定のための画面例である。
【図８】購入者側入力手段で表示される機種決定のための画面例である。
【図９】機種決定手段で行われる処理を表すフローチャート図である。
【図１０】購入者側表示手段に表示される適応ブラインドの表示例である。
【図１１】購入者側表示手段に表示されるブラインドの分割案の表示例である。
【図１２】購入者側入力手段で表示される色決定のための画面例である。
【図１３】購入者側入力手段で表示される色決定のための画面例である。
【図１４】購入者側入力手段で表示される色決定のための画面例である。
【図１５】色決定手段で行われる処理を表すフローチャート図である。
【図１６】購入者側入力手段で表示される推奨ブラインドの画面例である。
【図１７】購入者側入力手段で表示される推奨ブラインドの最終確認画面例である。
【図１８】購入者側入力手段で表示される発注画面例である。
【図１９】購入者側入力手段で表示される色推奨のための画面例である。
【図２０】ブラインド機種データベースの構成例である。
【図２１】出窓データベースの構成例である。
【図２２】（ａ）はカラーデータベースの構成例、（ｂ）はカラーパレットデータベースの構成例である。
【符号の説明】
１０  購入者側入力手段
１２  購入者側表示手段
２０  ブラインド推奨システム
２１  機種関連情報収集手段
２２  機種決定手段
２３  色希望情報収集手段
２４  色決定手段
２５  色関連情報収集手段
２６  色推奨手段
２７  送信手段
２００  ブラインド機種データベース
２０５  カラーデータベース
２０９  色マッチングデータベース
【図１】
0004074454.tif 000004
【図２】
0004074454.tif 000005
【図３】
0004074454.tif 000006
【図４】
0004074454.tif 000007
【図５】
0004074454.tif 000008
【図６】
0004074454.tif 000009
【図７】
0004074454.tif 000010
【図８】
0004074454.tif 000011
【図９】
0004074454.tif 000012
【図１０】
0004074454.tif 000013
【図１１】
0004074454.tif 000014
【図１２】
0004074454.tif 000015
【図１３】
0004074454.tif 000016
【図１４】
0004074454.tif 000017
【図１５】
0004074454.tif 000018
【図１６】
0004074454.tif 000019
【図１７】
0004074454.tif 000020
【図１８】
0004074454.tif 000021
【図１９】
0004074454.tif 000022
【図２０】
0004074454.tif 000023
【図２１】
0004074454.tif 000024
【図２２】
0004074454.tif 000025